(57)【特許請求の範囲】
【請求項１】
壁表面に設置されるケーブルを保護する保護カバーを接続可能な接続部を備えた周壁により四角枠状に形成された枠本体と、前記枠本体に着脱可能に形成され、配線器具を固定するための固定部とを備え、壁表面に取り付けられる配線器具設置体であって、
前記枠本体に、前記壁表面に取り付けるための固定部材が挿通される取付部を備え、
前記枠本体は、配線器具が収容できない厚さで形成されており、前記枠本体を積み重ねることにより、前記配線器具が積み重ねた枠本体内に収容可能な厚さに形成されてなることを特徴とする配線器具設置体。
【請求項２】
前記枠本体には、他の枠本体を積み重ねた際に該枠本体に係合して位置決めする位置決め部が形成されてなることを特徴とする請求項１に記載の配線器具設置体。
【請求項３】
前記取付部は、枠本体の厚さと同一に形成されてなることを特徴とする請求項１又は請求項２に記載の配線器具設置体。
【発明の詳細な説明】
【技術分野】
【０００１】
本発明は、壁表面にコンセント、スイッチ等の配線器具を固定するために、前記配線器具に接続されるケーブルを収容する保護カバーを接続可能な接続部を有し、壁表面に固定されて前記配線器具を固定する固定部を備えた配線器具設置体に関する。
【背景技術】
【０００２】
従来、壁表面に配線器具を固定するには、壁裏に予め配線ボックスを設置しておき、その前面に設置された壁材に前記配線ボックスの前面開口を壁表に臨ませるように貫通孔を形成し、その貫通孔から壁裏に隠蔽配線されたケーブルを引き出して配線器具に接続し、その配線器具を前記配線ボックスに固定することで行われている。ここで、建築物の構築後に配線器具を増設する場合、壁表面に特許文献１に記載の四角枠状に形成された配線器具設置体や特許文献２に記載の箱状に形成された配線器具設置体を設置し、新たに壁表に露出配線されたケーブルを配線器具に接続して行われていた。尚、ケーブルは配線器具設置体に接続されて壁表面に固定される保護カバー内に収容して保護している。
【０００３】
特許文献１に記載の配線器具設置体は、壁裏の配線ボックスが設置された場所に重ねて設置され、他の場所へ配線器具を増設するために壁裏のケーブルを延長して壁表にケーブルを引き出すために使用されたり、前面に固定される配線器具に接続するために新たに壁表に配線されたケーブルを引き込むために使用されたりする。特許文献２に記載の配線器具設置体は、特許文献１の配線器具設置体と同様に使用されるほか、新たな場所へ配線器具を増設するために、壁表に配線されるケーブルを引き込んで、配線器具設置体内に収容固定される配線器具に接続するために使用される。
【先行技術文献】
【特許文献】
【０００４】
【特許文献１】特開２００１−２１８３３２号公報
【特許文献２】特開２００９−６０７０３号公報
【発明の概要】
【発明が解決しようとする課題】
【０００５】
ここで、特許文献１の配線器具設置体は、壁裏の配線ボックスに重ねて使用するため壁裏の空間をも配線器具の収容空間とすることができ、壁表面からの突出量を少なくできるものの、配線器具全体を収容することはできないため、新たな場所へ配線器具を増設するには使用することができなかった。特許文献２に記載の配線器具設置体は、壁裏の配線ボックスに重ねて設置することも新たな場所へ配線器具を増設することもできるものの、配線器具全体を収容するために、壁表面からの突出量が大きく美観を損なうものとなっていた。そこで、従来は配線器具を増設する場所に応じてそれぞれ種類の異なる配線器具設置体を用意する必要があった。
【０００６】
本発明は、上記課題を解決するためになされたものであって、その目的は、一種類の配線器具設置体を用意するだけで、壁裏の配線ボックスに重ねて設置することも、新たな場所に配線器具を増設するために設置することもできる配線器具設置体を提供することにある。
【課題を解決するための手段】
【０００７】
上記問題点を解決するために、請求項１に記載の発明は、壁表面に設置されるケーブルを保護する保護カバーを接続可能な接続部を備えた周壁により四角枠状に形成された枠本体と、前記枠本体に着脱可能に形成され、配線器具を固定するための固定部とを備え、壁表面に取り付けられる配線器具設置体であって、前記枠本体に、前記壁表面に取り付けるための固定部材が挿通される取付部を備え、前記枠本体は、配線器具が収容できない厚さで形成されており、前記枠本体を積み重ねることにより、前記配線器具が積み重ねた枠本体内に収容可能な厚さに形成されてなることを特徴としている。
【０００８】
請求項１に記載の発明によれば、壁裏の配線ボックスに重ねて取り付けても壁表面からの突出量を小さくすることができ、さらに、枠本体を重ね合わせることで配線器具の収容空間が形成でき、他の場所への配線器具増設時にも使用することができる。
【０００９】
請求項２に記載の発明は、請求項１の発明において、前記枠本体には、他の枠本体を積み重ねた際に該枠本体に係合して位置決めする位置決め部が形成されてなることを特徴としている。
【００１０】
請求項２に記載の発明によれば、枠本体を重ね合わせた際に枠本体同士の位置ずれを防止することができる。
【００１１】
請求項３に記載の発明は、請求項１又は請求項２の発明において、前記取付部は、枠本体の厚さと同一に形成されてなることを特徴としている。
【００１２】
請求項３に記載の発明によれば、枠本体を重ね合わせた状態で、枠本体を壁表面にしっかりと固定することができる。
【発明の効果】
【００１３】
一種類の配線器具設置体を用意するだけで、壁裏の配線ボックスが設置された場所に重ねて設置して壁裏のケーブルを引き出すことも、新たな場所に配線器具を増設することもできる。
【図面の簡単な説明】
【００１４】
【図１】この発明の一実施形態の配線器具設置体を示す正面から見た斜視図である。
【図２】この発明の一実施形態の配線器具設置体を示す背面からみた斜視図である。
【図３】図１の配線器具設置体を用いて、既設の配線器具設置場所からケーブルを引き出し、新たな場所に配線器具を増設した状態を示す斜視図である。
【図４】図１の配線器具設置体を用いて既設の配線器具設置場所からケーブルを引き出す状態を示す斜視図である。
【図５】図１の配線器具設置体を用いて既設の配線器具設置場所からケーブルを引き出した状態を示す断面図である。
【図６】図１の配線器具設置体を用いて新たな場所に配線器具を増設する状態を示す斜視図である。
【図７】図１の配線器具設置体を用いて新たな場所に配線器具を増設した状態を示す断面図である。
【図８】図１の配線器具設置体を用いて新たな場所に配線器具を増設した状態を示す断面図である。
【図９】この発明の第二実施形態の配線器具設置体を示す斜視図である。
【発明を実施するための形態】
【００１５】
以下、この発明に係る配線器具設置体を実施するための形態を図面に基づいて説明する。尚、以下の説明において「上」「下」は、図１に示す矢印Ｙ１の方向を上下方向とし、「左」「右」は、矢印Ｙ２の方向を左右方向とし、「前」「後」は、矢印Ｙ３の方向を前後方向とする。
【００１６】
図１及び図２に示すように、配線器具設置体１は、周壁１１により四角枠状に形成される合成樹脂材料製の枠本体１０を備えている。枠本体１０は、対向する短辺を構成するとともに互いに平行に延びる周壁１１としての上壁１１ａ及び下壁１１ｂを備えている。また、枠本体１０は、対向する長辺を構成するとともに互いに平行に延びる周壁１１として、左壁１１ｃ及び右壁１１ｄを備えている。上壁１１ａ、下壁１１ｂ、左壁１１ｃ及び右壁１１ｄにより四角枠状の周壁１１を構成している。そして、周壁１１により囲み形成された前面に前面開口、後面に後面開口が形成されている。
【００１７】
枠本体１０の前面側の上下端部には、前面側が配線器具３の上下端部が当接する前面板部１２が形成されている。上側に形成される前面板部１２は、上壁１１ａ、左壁１１ｃ、右壁１１ｄを連結し、下側に形成される前面板部１２は下壁１１ｂ、左壁１１ｃ、右壁１１ｄを連結するように形成されている。前面板部１２において左右方向の中央には枠本体１０内に突出するように形成された突片１２ａが形成されている。この突片１２ａには、配線器具３を固定するためのビスが挿通される挿通孔１２ｂが形成されている。また、前面板部１２の前面には、配線器具を固定する際に、配線器具の取付位置を表示する表示部１２ｃを備えている。この表示部１２ｃにより、枠本体１０に対して配線器具３を正確な位置に取り付けることができるようになっている。前面板部１２の裏面には、配線器具３を固定するための固定部１３を着脱可能に取り付けるための被取付部１４が形成されている。この被取付部１４は、断面略Ｔ字状に形成され、枠本体１０の前面と平行でかつ上下方向に伸びるように形成されている。
【００１８】
固定部１３は、配線器具３を固定するためのビスＢが螺合するナット１３ａを備えている。また、前記被取付部１４に取り付けるためのあり溝１３ｂが形成されている。これにより、固定部１３を被取付部１４に向けてスライドさせることにより、あり溝１３ｂ内に被取付部１４が嵌合し、固定部１３を被取付部１４に取り付けることができるようになっている。固定部１３を被取付部１４に取り付けることにより、挿通孔１２ｂとナット１３ａとの位置が一致するようになっている。
【００１９】
また、枠本体１０の左壁１１Ｃ及び右壁１１Ｄには、壁材に枠本体１０を取り付けるための固定部材である螺子Ｓが挿通される取付部１５が枠本体１０内に突出するようにそれぞれ２箇所形成されている。この取付部１５は前面が枠本体１０の前面と同一面で後面が枠本体１０の後面と同一面となるように形成されており、枠本体１０の厚さと同一になるように形成されている。この取付部１５には、前記螺子Ｓが挿通可能な貫通孔１５ａが形成されている。
【００２０】
周壁１１には、壁表面に固定されて、壁表に配線されるケーブルを収容するための保護カバー２が接続される接続部１６を備えている。この接続部１６は、保護カバー２を接続する際に切取溝１６ａによって周壁１１の一部を切り離すことにより形成されるようになっている。
【００２１】
枠本体１０の厚さは、周壁１１に接続される保護カバー２の高さと比べて同一以上に形成されている。また、内部に配線器具３を収容することができない厚さで形成されている。内部に配線器具を収容することができない厚さとは、ケーブルが接続された配線器具を収容することができない厚さであり、配線器具３が前面板部１２に当接した状態で、後面から配線器具３の一部が飛び出たり、配線器具３が収容できてもケーブルを配線器具３に接続する空間がないほどの厚さのことをいう。そこで、枠本体１０は、配線器具３を内部に収容可能とするように積み重ね可能に形成されている。二つの枠本体１０を積み重ねることで配線器具を固定するために通常使用される配線ボックスの厚さとほぼ同一の厚さに形成されている。そして、枠本体１０には、枠本体１０同士を積み重ねた際に他の枠本体１０がずれるのを防止して位置決めする位置決め部１７を備えている。この位置決め部１７は、枠本体１０の前面に突出するように形成されており、他の枠本体１０の裏面に形成された凹部１８に係合するように形成されている。
【００２２】
図３は、図１に示す配線器具設置体１を使用して、既設の配線器具設置場所からケーブルを引き出し、新たな場所に配線器具を増設した状態を示す図である。既設の配線器具３は、壁裏に設置された配線ボックスに固定されており、壁裏に配線されたケーブルが接続されている。既設の配線器具設置場所からケーブルを引き出すには、壁裏の配線ボックスが設置された場所に重ねて貫通孔を覆うようにして配線器具設置体１を壁表面に設置し、その配線器具設置体１から壁裏に配線されたケーブルを延長したケーブルを又は壁裏に新たに配線したケーブルを引き出している。引き出されたケーブルは、保護カバー２内に収容されて新たに配線器具３を増設する場所まで配線されている。また、新たに配線器具３を増設する場所には、２つの配線器具設置体１が積み重ねられて壁表面に固定されている。既設の配線器具設置場所から引き出されて壁表に配線されたケーブルが配線器具設置体１内に引き込まれて前面に設置された配線器具３に接続されている。
【００２３】
次に、既設の配線器具設置場所からケーブルを引き出す方法について説明する。図４及び図５に示すように、壁裏の配線ボックス４に固定されている配線器具３を外して壁表に配線ボックス４の前面開口を臨ませる。壁裏に配線されたケーブルを延長又は新たに壁裏にケーブルＣを配線して壁表にケーブルＣを引き出す。枠本体１０の周壁１１のうち配線器具を増設する方向（ケーブルＣの引出方向）に位置する周壁１１（実施例においては上壁１１ａ）を切り欠いて接続部１６を形成する。接続部１６から前記引き出したケーブルＣを枠本体１０外に引き出すとともに、枠本体１０を壁裏の配線ボックス４が設置された場所に重ねて貫通孔を覆うように壁表面に配置する。尚、固定部１３は配線器具３の固定に使用しないため枠本体１０から取り外しておく。取り外した配線器具３にケーブルＣを接続し、枠本体１０の前面に配置する。そして、配線器具３を壁裏の配線ボックス４にビスＢで固定すると、配線器具３と壁材とで枠本体１０を挟持して枠本体１０を壁表面に固定することができる。ビスＢは枠本体１０の挿通孔１２ｂに挿通しており、固定後も枠本体が位置ずれすることがない。
【００２４】
また、引き出されたケーブルＣは新たな場所に配線器具を増設する位置まで配線する。ケーブルが引き出された接続部１６には壁表面に固定される保護カバー２が接続される。この保護カバー２は壁表面に固定される基台２ａとこの基台２ａに取り付けられるカバー２ｂとからなり、基台２ａとカバー２ｂとの間にケーブルＣの収容空間が形成されている。枠本体１０と配線器具を増設する位置までのケーブルの経路に保護カバー２を固定し、保護カバー２内にケーブルＣを収容する。
【００２５】
次に、新たに別の場所に配線器具を増設する方法について説明する。図６及び図７に示すように、壁表面には保護カバー２により収容されたケーブルＣが配線されている。新たに配線器具を増設する場合には枠本体１０を２つ積み重ねて使用する。前面側に配置される枠本体１０を第１枠本体１０ａとし、後面に配置される枠本体１０を第２枠本体１０ｂとする。第１枠本体１０ａは前面に配線器具３が当接し、第２枠本体１０ｂは後面が壁表面に当接して固定されるとともに保護カバー２が接続されるものである。第２枠本体１０ｂの前記保護カバー２を接続する周壁１１（実施例においては下壁１１ｂ）を切り欠いて接続部１６を形成する。接続部１６に保護カバー２を接続するとともに、第１枠本体１０ａと第２枠本体１０ｂを重ねた状態で、第２枠本体１０ｂの後面を壁表面に当接させて配置する。第１枠本体１０ａと第２枠本体１０ｂとは、重ね合わせた状態において、位置決め部１７が凹部１８に係合することにより両枠本体１０ａ，１０ｂの位置がずれるのを防止している。そして、第１枠本体１０ａと第２枠本体１０ｂとに形成された取付部１５に螺子Ｓを挿通し、壁材に第１枠本体１０ａと第２枠本体１０ｂとをともに固定する。第２枠本体１０ｂに接続された保護カバー２から枠本体１０内に引き込まれたケーブルＣを配線器具３に接続する。配線器具３を第１枠本体の前面板部１２に当接させ、配線器具３をビスＢにより第１枠本体１０ａに取り付けられた固定部１３に固定する。尚、第２枠本体１０ｂに取り付けられていた固定部１３は、第１枠本体１０ａに取り付けられた固定部１３へ配線器具を固定するビスBの螺合の邪魔になるため、第２枠本体１０ｂから取り外しておくとよい。
【００２６】
この実施形態の配線器具設置体は、以下の効果を奏する。
・枠本体１０を壁裏の配線ボックス４の設置された場所に重ねて貫通孔を覆うように設置することで、壁裏のケーブルＣを引き出すことができる。このとき、壁表面からの突出量は少なくすることができる。
【００２７】
・枠本体１０を積み重ねることで、配線器具４の収容空間を形成でき、新たな場所に配線器具４を設置することができる。
【００２８】
・一種類の配線器具設置体１で、壁裏の配線ボックス４が設置された場所に重ねて貫通孔を覆うように設置して壁裏のケーブルＣを引き出すことも、積み重ねて新たな場所に配線器具３を増設することもできる。
【００２９】
・固定部１３が着脱可能に形成されているため、配線器具３の固定に邪魔になる場合や、枠本体１０の固定に邪魔になる場合に取り外すことができる。
【００３０】
・取付部１５が枠本体１０と同一の厚さに形成されているため、枠本体１０を重ねて設置する際に、第１枠本体１０ａ側から螺子を挿通して壁材にしっかりと固定することができる。
【００３１】
・凹部１９に係合する位置決め部１７が形成されているため、枠本体１０を積み重ねてもずれることなく設置が容易にできる。
【００３２】
この実施形態の配線器具設置体１０は、以下のように変更してもよい。
・本実施例においては、配線器具を壁に一つ設置する場合に用いられる配線器具設置体に適用したが、これに限らず、配線器具を壁に二つ以上並設する場合に用いられる配線器具設置体に適用してもよい。
【００３３】
・本実施例においては、配線器具を増設する場所に枠本体を積み重ねて設置し、既設の配線器具設置場所から引き出したケーブルを用いて配線器具を増設したが、天井等から壁表面に沿って新たに配線したケーブルを用いてもよく、さらには、壁裏は新たにケーブルを配線して壁材に形成した貫通孔により壁表に引き出したケーブルを用いてもよい。
【００３４】
・本実施例においては、二つの枠本体を積み重ねて配線器具を増設したが、図８に示すように、壁表面に形成した貫通孔を覆うように配線器具設置体を壁表面に固定し、壁裏に新たに配線したケーブルと配線器具とを接続して配線器具を増設してもよい。このとき貫通孔は配線器具が収容できる大きさに形成されている。
【００３５】
・本実施例においては、二つの枠本体を積み重ねることで配線器具を増設したが、図９に示すように、二つの枠本体が薄肉部１９により連結されて分離可能に形成された配線器具設置体であってもよい。薄肉部１９により分離することで二つの枠本体が形成され、壁裏の配線ボックスの設置場所に重ねてケーブルの引き出しに使用することができる。
【００３６】
・本実施例においては、二つの枠本体を積み重ねることで配線器具を収容可能としたが、三つ以上積み重ねてもよい。
【００３７】
・本実施例においては、配線器具としてコンセントを使用したが、スイッチ、調光器等の配線器具であってもよい。さらには、配線器具を取り付けることなくブランクカバーを取り付けてもよい。
【００３８】
・既設の配線器具設置場所からケーブルを引き出す実施例において、配線器具を壁裏の配線ボックスに固定することで、枠本体を配線器具と壁材とで挟持して固定したが、取付部に螺子を挿通して壁材に固定してもよい。この場合、配線器具は壁裏の配線ボックスに固定してもよく、また、枠本体が壁材に固定されているため、枠本体に取り付けられた固定部に配線器具を固定してもよい。
【００３９】
・新たに別の場所に配線器具を増設する実施例において、第１枠本体に形成された固定部に配線器具を固定したが、第１枠本体から固定部を取り外して、第２枠本体に取り付けられた固定部に配線器具を固定してもよい。また、配線器具の固定に支障がなければ、両枠本体に固定部を取り付けておいてもよい。
【符号の説明】
【００４０】
１    配線器具設置体
１０    枠本体
１１    周壁
１２    前面板部
１３    固定部
１４    被取付部
１５    取付部
１６    接続部
１７    位置決め部
２    保護カバー
３    配線器具
４    配線ボックス
Ｃ    ケーブル
Ｓ    螺子
Ｂ    ビス
【図１】
0005778005.tif 000002
【図２】
0005778005.tif 000003
【図３】
0005778005.tif 000004
【図４】
0005778005.tif 000005
【図５】
0005778005.tif 000006
【図６】
0005778005.tif 000007
【図７】
0005778005.tif 000008
【図８】
0005778005.tif 000009
【図９】
0005778005.tif 000010